(57)【要約】イオン移動度スペクトロメトリを行うための方法およびシステムが、本明細書で提供される。本出願人の教示の種々の局面によると、本方法およびシステムは、従来のＭＳ技法を用いては分離することが困難であり得る生物学的に関連性のある酸の分離を提供することができる。種々の局面において、本出願人の教示による方法およびシステムは、微分型移動度スペクトロメータが、アセトンと組み合わせたドリフトガスとしてのＣＯ２の使用を通して、生物学的に関連性のある酸を分解することを可能にし得る。
2015516579.tif 000002
【特許請求の範囲】
【請求項１】
イオン移動度スペクトロメトリを行うための方法であって、前記方法は、
ａ．試料をイオン化することにより複数の分析物イオンを生成するステップであって、前記試料は、目的の酸性分析物を含むか、または含むことが疑われる、ステップと、
ｂ．ＣＯ２を含むドリフトガスを使用して、イオン移動度スペクトロメータを通して前記複数の分析物イオンを移送することにより、前記イオン化された試料中に存在する干渉酸性分析物のイオンからの前記目的の酸性分析物のイオンの分離をもたらすステップと
を含む、方法。
【請求項２】
前記ドリフトガスは、約８０％よりも高いＣＯ２濃度を有する、請求項１に記載の方法。
【請求項３】
前記ドリフトガスは、約９８．５％よりも高いＣＯ２濃度を有する、請求項１に記載の方法。
【請求項４】
前記ドリフトガスは、ＣＯ２から本質的に成る、請求項１に記載の方法。
【請求項５】
前記目的の酸性分析物は、メチルマロン酸（ＭＭＡ）を含む、請求項１に記載の方法。
【請求項６】
前記干渉酸性分析物は、コハク酸（ＳＡ）を含む、請求項５に記載の方法。
【請求項７】
前記目的の酸性分析物のイオンおよび前記干渉酸性分析物のイオンは、同重体である、請求項１に記載の方法。
【請求項８】
前記目的の分析物および前記干渉分析物は、カルボン酸官能基を有する、請求項１に記載の方法。
【請求項９】
修飾剤を前記ドリフトガスに供給することをさらに含む、請求項１に記載の方法。
【請求項１０】
前記修飾剤は、極性化合物を含む、請求項９に記載の方法。
【請求項１１】
前記修飾剤は、アセトンを含む、請求項１０に記載の方法。
【請求項１２】
イオン化のために試料を調製することをさらに含む、請求項１に記載の方法。
【請求項１３】
前記試料調製は、ＡＰ−ＭＡＬＤＩ、ＤＥＳＩ、ＤＡＲＴ、およびＬＤＴＤのうちの任意の１つを介した直接的な試料導入のために、前記試料を固体支持体上で乾燥させることを含む、請求項１２に記載の方法。
【請求項１４】
前記イオン移動度スペクトロメータは、微分型移動度スペクトロメータを備える、請求項１に記載の方法。
【請求項１５】
前記イオン移動度スペクトロメータは、ＦＡＩＭＳを備える、請求項１に記載の方法。
【請求項１６】
前記イオン移動度スペクトロメータは、ＬＣ−ＭＳ／ＭＳに連結される、請求項１に記載の方法。
【請求項１７】
前記イオン移動度スペクトロメータは、ＬＣ−ＭＳに連結される、請求項１に記載の方法。
【請求項１８】
ステップｂは、前記イオン化された試料中に存在する干渉酸性分析物のイオンから、前記目的の酸性分析物のイオンのピークを分解することを含む、請求項１に記載の方法。
【請求項１９】
マススペクトロメトリの方法であって、
ａ．ＭＭＡおよびＳＡを含む試料をイオン化することと、
ｂ．ＣＯ２を含むドリフトガスを提供することと、
ｃ．前記ドリフトガスをアセトンで修飾することと、
ｄ．前記修飾されたドリフトガスを使用して、イオン移動度スペクトロメータを通して前記イオン化された試料を移送することにより、ＳＡからのＭＭＡの分離をもたらすことと、
ｅ．ＭＭＡおよびＳＡのうちの少なくとも１つを定量化することと
を含む、方法。
【請求項２０】
イオン移動度スペクトロメトリを行うための方法であって、
ａ．目的の酸性分析物を含むか、または含むことが疑われる試料を、微分型移動度スペクトロメータ内に導入することと、
ｂ．ＣＯ２およびアセトンを含むドリフトガスを使用して、前記微分型移動度スペクトロメータを通して前記試料を移送することにより、前記試料中に存在する干渉酸性分析物のイオンからの前記目的の酸性分析物のイオンの分離をもたらすことと
を含む、方法。
【発明の詳細な説明】
【技術分野】
【０００１】
関連出願
本出願は、２０１２年５月１８日出願の米国仮出願第６１／６４９，０６３号への優先権を主張し、その米国仮出願は、本明細書で参照によってその全体が援用される。
【０００２】
本発明は、概して、マススペクトロメトリに関し、より特定すると、イオン移動度スペクトロメトリを使用した酸の分離のための方法および装置に関する。
【背景技術】
【０００３】
マススペクトロメトリ（ＭＳ）は試料中の特定の分析物の量を定量化するために有用であり得るが、ＭＳ技法は、時として、２つのイオン種間の判別が不十分である。一例として、ジカルボン酸であるメチルマロン酸（ＭＭＡ）は、化学式Ｃ４Ｈ６Ｏ４を有し、コバラミン欠乏症（すなわち、ビタミンＢ１２欠乏症）に対する臨床マーカーである。ガスクロマトグラフィ−マススペクトロメトリ（ＧＣ−ＭＳ）を使用して、患者の血液中のＭＭＡを定量化する臨床アッセイは、敏感であり得るが、しばしば、同様に化学式Ｃ４Ｈ６Ｏ４を有するジカルボン酸であるコハク酸（ＳＡ）の内因性レベルに由来する干渉の結果、特異性が欠如する。さらに、下記に示されるように、ＳＡは、ＭＭＡのものと同じ主要フラグメントおよび小フラグメントのＭＲＭ遷移を呈し、さらに、生物学的試料中のＭＭＡよりもはるかに高いレベルで存在し、その結果として、しばしば、ＭＭＡの検出／判別に干渉する。
【化１】
2015516579.tif 000003
【０００４】
ＬＣ分離の前の誘導体化、固相抽出、または乱流クロマトグラフィ等のさらなる試料調製方法が、より大量のＳＡからのＭＭＡの分離を改善するために試みられてきた。しかしながら、これらの技法は、時間がかかり、かつ／または複雑な試料調製を必要とし、コストを増加させ、かつ／または処理量を低下させ、ＭＭＡの臨床診断定量化を不正確、非実践的、または不採算にし得る。
【０００５】
種々の分析物に関する上記で述べられているＭＳの欠点のため、改良された感度および選択性のために、イオン移動度スペクトロメトリ（ＩＭＳ）等の技法が、時として、ＭＳの代替として、またはＭＳと組み合わせて頼られる。ＭＳはイオンの質量電荷比に基づいてイオンを分析するが、ＩＭＳは、代わりに、イオンが、ドリフト管の軸方向長に沿って印加される一定の静電場において（典型的には、大気圧における）ガスを通してドリフトするために必要とされる時間の差異に基づいて、イオンを分離する。ＩＭＳでは、イオンは、単一の運動方向（軸方向）を有し、これらの低電場条件（Ｅ＜１０００Ｖ／ｃｍ）下におけるガスを通したその移動度に従って分離される。飛行管を通したドリフト時間は、イオンのサイズおよび形状ならびに背景ガスとのその相互作用の特性であり、したがって、イオンの移動度も、イオンのサイズおよび形状ならびに背景ガスとのその相互作用の特性である。
【０００６】
高電場非対称波形イオン移動度スペクトロメトリ（ＦＡＩＭＳ）または電場イオンマススペクトロメトリ（ＦＩＳ）とも呼ばれる微分型移動度スペクトロメトリは、ＩＭＳの変形である。ＤＭＳでは、分離電圧（ＳＶ）としばしば呼ばれるＲＦ電圧が、ドリフトガス流の方向と垂直な方向に、ドリフト管にわたって印加される。所与の種のイオンは、高電場および低電場の部分中の移動度の差に起因して、ＲＦ波形の各サイクル中の特性量によって、移送チャンバの軸から半径方向に離れて移動する傾向がある。ドリフト管に印加される補償電圧（ＣＶまたはＣｏＶ）と一般に呼ばれるＤＣ電位は、ＳＶのものに対抗する静電気力を提供する。ＣＶは、目的のイオン種のドリフトを優先的に防止するように調整されることができる。適用に応じて、ＣＶは、固定値に設定されることにより、特定の微分移動度を有するイオン種のみ通過させることができる一方で、残りのイオン種は、電極に向かってドリフトされ、中性化される。代替として、試料がＤＭＳ内に継続的に導入されるときにＣＶが固定ＳＶに対して走査される場合、ＤＭＳが異なる微分移動度のイオンを伝送するにつれて、移動度スペクトルが、作り出され得る。
【０００７】
ＩＭＳおよびＤＭＳでは、ドリフトガスの分子は、ドリフト管を通して流れるにつれて試料イオンと相互作用する。理想的には、ドリフトガスは、種々の干渉分析物と相互作用することにより、それらの移動度をさらに区別するように選択される。加えて、ドリフトガスに添加され得る修飾剤は、ＳＶの高電場部分中および低電場部分中、異なる程度にイオンとクラスタ化し、それによって、これらのイオンの微分移動度をシフトさせる。しかしながら、特定の種に及ぼされるＤＭＳ条件の影響は、しばしば、予測不可能であり、重複検出ピークの間の判別は、常には容易に達成されない。実際、個々の種のＤＭＳ検出ピークは、しばしば、質量スペクトロメータのものに対して非常に広範であり、その結果として、重複が、しばしば、種同定に干渉する。一例として、その移動度に基づいてＭＭＡおよびＳＡを分離しようとするこれまでの試みは、成功していない。
【０００８】
ゆえに、種の間の判別が向上した生物学的に関連性のある酸の改良された検出の必要性が残っている。同様に、試料調製を低減しながらの試料からのＭＭＡの改良された定量化の必要性も残っている。
【発明の概要】
【課題を解決するための手段】
【０００９】
予想外にも、微分型移動度スペクトロメータにおけるＣＯ２のドリフトガスとしての使用は、有利なことに、ＭＭＡおよびＳＡ等のジカルボン酸を含む同重体カルボン酸に対応するイオン信号を分解することを可能にすることができることが発見された。そして、イオン信号の分解能は、それらを含む試料中のそのような酸の正確な定量化を可能にすることができる。多くの実施形態では、試料中に存在する同重体ジカルボン酸のそのような定量化は、誘導体化等の時間がかかる調製ステップに試料を曝す必要なく、本明細書の教示に従って達成されることができる。ある場合には、ドリフトガスとしてのＣＯ２とアセトン等の修飾剤との組み合わせ（例えば、約１０％未満、ガス体積においてアセトンの約１％〜約１０％、約１．５％アセトンの濃度範囲内）は、予想外かつ有利なことに、同重体カルボン酸に対応するイオン信号の分解能をさらに向上させる。
【００１０】
一局面によると、本出願人の教示のある実施形態は、イオン移動度スペクトロメトリを行うための方法に関する。本方法によると、目的の酸性分析物を含むか、または含むことが疑われる試料が、微分型移動度スペクトロメータ内に伝送され得る。試料は、ＣＯ２およびアセトンを含むドリフトガスを使用して、微分型移動度スペクトロメータを通して移送されることにより、試料中に存在する干渉酸性分析物のイオンからの目的の酸性分析物のイオンの分離をもたらすことができる。
【００１１】
別の局面によると、本出願人の教示のある実施形態は、イオン移動度スペクトロメトリを行うための方法に関する。本方法によると、目的の酸性分析物を含むか、または含むことが疑われる試料が、複数の分析物イオンを生成するためにイオン化され得る。複数の分析物イオンは、ＣＯ２を含むドリフトガスを使用して、イオン移動度スペクトロメータを通して移送されることにより、イオン化された試料中に存在する干渉酸性分析物のイオンからの目的の酸性分析物のイオンの分離をもたらすことができる。
【００１２】
いくつかの局面では、ドリフトガスは、約８０％よりも高いか、約９０％よりも高いか、約９５％よりも高いか、または９８．５％よりも高いＣＯ２濃度を有することができる。いくつかの局面では、ドリフトガスは、ＣＯ２から本質的に成ることができる。種々の局面では、ドリフトガスは、ＣＯ２およびアセトンから本質的に成ることができる。
【００１３】
種々の局面では、目的の酸性分析物のイオンおよび干渉酸性分析物のイオンは、同重体であり得る。いくつかの局面では、目的の分析物および干渉分析物は、カルボン酸官能基を有する。いくつかの局面では、目的の酸性分析物および干渉酸性分析物は、カルボン酸を含むことができる。例えば、カルボン酸は、ロイシンおよびイソロイシンを含むことができる。いくつかの局面では、目的の酸性分析物は、ＭＭＡであり得、干渉酸性分析物は、ＳＡであり得る。
【００１４】
本教示による種々の実施形態のいくつかの局面では、本方法は、修飾剤をドリフトガスに供給することを含むことができる。修飾剤は、極性化合物であり得る。例えば、修飾剤は、アセトンを含むことができる。
【００１５】
種々の局面では、本方法は、イオン化のために試料を調製することをさらに含むことができる。例えば、試料は、フローインジェクション分析（ＦＩＡ）によって直接的に導入されるか、またはＡＰ−ＭＡＬＤＩ、ＤＥＳＩ、ＤＡＲＴ、およびＬＤＴＤ等（限定されない）の直接的な試料導入のために固体支持体上で乾燥されるかのいずれかであることができる。いくつかの局面では、試料調製は、目的の酸性分析物の誘導体化を含まない。例えば、試料調製は、液体クロマトグラフィを含む。
【００１６】
種々の局面では、イオン移動度スペクトロメータは、微分型移動度スペクトロメータ、ＦＡＩＭＳデバイスを備えることができ、かつ／またはＬＣ−ＭＳ／ＭＳに連結されることができる。
【００１７】
別の局面によると、本出願人の教示のある実施形態は、イオン移動度スペクトロメトリを行うための方法に関する。本方法によると、試料は、複数の分析物イオン（目的の酸性分析物を含むか、または含むことが疑われる試料）を生成するためにイオン化されることができる。複数の分析物イオンは、ＣＯ２を含むドリフトガスを使用して、イオン移動度スペクトロメータを通して移送され、イオン化された試料中に存在する干渉酸性分析物のイオンのピークから目的の酸性分析物のイオンのピークを分解することができる。
【００１８】
別の局面によると、本出願人の教示のある実施形態は、イオン移動度スペクトロメトリを行うための方法に関する。本方法によると、ＭＭＡおよびＳＡを含む試料は、イオン化されることができる。ＣＯ２を含むドリフトガスは、アセトンで修飾されることができる。イオン化された試料は、修飾されたドリフトガスを使用して、イオン移動度スペクトロメータを通して移送され、ＳＡからのＭＭＡの分離をもたらすことができ、そのうちの少なくとも１つは、定量化されることができる。
【００１９】
本出願人の教示のこれらの特徴および他の特徴が、本明細書に記載される。
【図面の簡単な説明】
【００２０】
当業者は、下記で説明される図面が、例証の目的に過ぎないことを理解する。図面は、本出願人の教示の範囲をいかようにも限定することを意図されない。
【００２１】
【図１】図１は、本出願人の教示の種々の実施形態の局面に従い、概略図において、カーテンガス供給部とカーテンガスへの修飾剤供給部とを含む例示的な微分型移動度スペクトロメータ／質量スペクトロメータシステムを図示する。
【００２２】
【図２】図２は、本出願人の教示の種々の実施形態の局面に従い、概略図において、カーテンガス供給部とカーテンガスへの修飾剤供給部とを含む例示的な微分型移動度スペクトロメータシステムを図示する。
【００２３】
【図３】図３は、本出願人の教示の種々の実施形態の局面に従い、カーテンガスとして純Ｎ２および純ＣＯ２を用いる微分型移動度スペクトロメータによって伝送され、続いて、検出されたＭＭＡイオンを比較したデータを描写する。
【００２４】
【図４】図４は、本出願人の教示の種々の実施形態の局面に従い、カーテンガスとして純Ｎ２および純ＣＯ２を用いて修飾剤としてＩＰＡを用いる微分型移動度スペクトロメータによって伝送され、続いて、検出されたＭＭＡイオンを比較したデータを描写する。
【００２５】
【図５】図５は、本出願人の教示の種々の実施形態の局面に従い、カーテンガスとして純Ｎ２および純ＣＯ２を用いて修飾剤としてアセトンを用いる微分型移動度スペクトロメータによって伝送され、続いて、検出されたＭＭＡイオンを比較したデータを描写する。
【００２６】
【図６】図６は、本出願人の教示の種々の実施形態の局面に従い、カーテンガスとして純ＣＯ２を用いて修飾剤としてアセトンを用いる微分型移動度スペクトロメータによる伝送、およびその後に続くＭＭＡイオンの検出とＳＡイオンの検出とを比較したデータを描写する。
【００２７】
【図７】図７は、本出願人の教示の種々の実施形態の局面に従い、ＭＭＡおよび／またはＳＡを含む試料の微分型移動度スペクトロメータの移動度スペクトルを描写し、その微分型移動度スペクトロメータは、カーテンガスとして純ＣＯ２を用い、修飾剤としてアセトンを用いる。
【発明を実施するための形態】
【００２８】
明確にするために、下記の議論は、本出願人の教示の実施形態の局面を詳説するが、そうすることが便宜的または適切である場合には何らかの具体的詳細を省略することが、理解される。例えば、代替実施形態における同様または類似の特徴についての議論は、ある程度、短縮され得る。周知の思想または概念もまた、簡潔にするために、あまり詳細に論じられない場合がある。当業者は、本出願人の教示のいくつかの実施形態が、具体的に説明される詳細の一部をすべての実装において要求しなくてもよいことを認識し、その具体的に説明される詳細の一部は、実施形態の徹底的な理解を提供するためだけに本明細書に記載される。同様に、説明される実施形態は、共通の一般的な知識に従って、本開示の範囲から逸脱することなく若干の代替または変形を許容可能であってもよいことが、明白である。下記の実施形態の詳細な説明は、本出願人の教示の範囲をいかようにも限定するものと見なされない。
【００２９】
イオン移動度スペクトロメトリを行うための方法およびシステムが、本明細書に提供される。本出願人の教示の種々の局面によると、本方法およびシステムは、生物学的に関連性のある酸の分離を提供することができ、そのような酸は、例えば、従来のＭＳ技法を用いて分離することが困難であり得る。種々の局面では、本出願人の教示による方法およびシステムは、微分型移動度スペクトロメータが、同重体ジカルボン酸、ロイシンおよびイソロイシン、ならびにＭＭＡおよびＳＡ（全て非限定的例）等の試料の生物学的に関連性のある酸を分解する（ｒｅｓｏｌｖｅ）ことを可能にし得る。
【００３０】
次に図１を参照すると、本出願人の教示の種々の実施形態による例示的な微分型移動度スペクトロメータ／質量スペクトロメータシステム１００が、図式的に図示される。図１に示されるように、微分型移動度スペクトロメータ／質量スペクトロメータシステム１００は、概して、質量スペクトロメータ（本明細書では以下、質量スペクトロメータ１５０として概して指定される）の第１の真空レンズ要素１５０と流体連通する微分型移動度スペクトロメータ１１０を備える。当業者によって理解されるように、微分型移動度スペクトロメータ／質量スペクトロメータシステム１００は、本明細書に説明されるシステム、デバイス、および方法の種々の局面に従い、使用のための１つの可能な構成のみを表す。移動度スペクトロメータ１１０は、種々の構成を有することができるが、概して、固定電場または可変電場を通るイオンの移動度に基づいて、イオンを分解するように構成される。例えば、移動度スペクトロメータは、とりわけ、平行プレート、湾曲電極、または円筒形ＦＡＩＭＳデバイス等の種々の幾何学形状のイオン移動度スペクトロメータ、微分型移動度スペクトロメータ、またはＦＡＩＭＳデバイスであることができる。
【００３１】
図１に描写される例示的な実施形態では、微分型移動度スペクトロメータ１１０は、電気絶縁体１１４によって囲繞される一対の対向電極プレート１１２を備え、その電気絶縁体は、電極プレート１１２を支持し、それらを他の伝導性要素から絶縁する。電極プレート１１２は、ドリフトガス１１６を囲繞し、そのドリフトガスは、微分型移動度スペクトロメータ１１０の入口１１８から微分型移動度スペクトロメータ１１０の出口１２０へとドリフトする。微分型移動度スペクトロメータ１１０の出口１２０は、質量スペクトロメータ１５０を含む真空チャンバ１５２の入口１５４内にドリフトガス１１６を放出する。
【００３２】
微分型移動度スペクトロメータ１１０は、カーテンチャンバ１３０内に含まれることができ、そのカーテンチャンバは、カーテンプレートまたは境界部材１３２によって画定され、カーテンガス供給部１３４からカーテンガスが供給される。特定すると、カーテンガス供給部１３４からのカーテンガスは、流量コントローラおよび弁によって決定されている流速でカーテンガス導管１３６を通って流れることができる。カーテンガス供給部１３４は、任意の純組成物または混合組成物のカーテンガスをカーテンガスチャンバに提供することができる。非限定的例として、カーテンガスは、空気、Ｏ２、Ｈｅ、Ｎ２、ＣＯ２、または任意のそれらの組み合わせであることができる。いくつかの局面では、カーテンガスは、少なくとも約８０％ＣＯ２、少なくとも約９０％ＣＯ２、少なくとも約９５％ＣＯ２、少なくとも約９８．５％ＣＯ２、または実質的に１００％ＣＯ２の濃度を有することができる。カーテンチャンバ１３０におけるカーテンガスの圧力は、大気圧（すなわち、７６０Ｔｏｒｒ）またはその近傍に維持されることができる。
【００３３】
システム１００はまた、修飾剤をカーテンガスに供給するための修飾剤供給部１３８を含むことができる。上記で説明されているように、修飾剤は、カーテンガスに添加されることにより、ＳＶの高電場部分中および低電場部分中でイオンと特異的にクラスタ化することができる。当業者によって理解されるように、修飾剤供給部は、固体、液体、またはガスのリザーバであることができ、それを通して、カーテンガスは、カーテンチャンバ１３０に送達される。一例として、カーテンガスは、液体修飾剤供給部を通して気泡化されることができる。代替として、修飾剤の液体またはガスは、例えばＬＣポンプ、シリンジポンプ、または既知の率で修飾剤をカーテンガス中に分注するための他の分注デバイスを通して、カーテンガス内にメータを介して供給される（ｍｅｔｅｒｅｄ）ことができる。例えば、修飾剤は、カーテンガス中の修飾剤について最終濃度約１．５％をもたらすように、ポンプを使用して導入されることができる。修飾剤供給部１３４は、非限定的例としてアセトン、水、メタノール、イソプロパノール、塩化メチレン、臭化メチレン、またはそれらの任意の組み合わせを含む任意の修飾剤を提供することができる。
【００３４】
随意に、カーテンガス導管１３６および／またはカーテンチャンバ１３０は、カーテンガスと修飾剤との混合物を加熱するためのヒータを含むことにより、カーテンガス中の修飾剤の割合をさらに制御することができる。
【００３５】
イオン１０２は、イオン源（図示せず）から提供されることができ、カーテンチャンバ入口１５０を介してカーテンチャンバ１３０内に放出されることができる。当業者によって理解されるように、イオン源は、事実上、当技術分野において公知の任意のイオン源であることができ、そのイオン源は、とりわけ、例えば、連続イオン源、パルスイオン源、大気圧化学イオン化（ＡＰＣＩ）源、エレクトロスプレーイオン化（ＥＳＩ）源、誘導結合プラズマ（ＩＣＰ）イオン源、マトリクス支援レーザ脱離／イオン化（ＭＡＬＤＩ）イオン源、グロー放電イオン源、電子衝突イオン源、化学イオン化源、または光イオン化イオン源を含む。カーテンチャンバ１３０におけるカーテンガスの圧力（例えば、約７６０Ｔｏｒｒ）は、カーテンガスチャンバ入口１４４からのカーテンガス流出１４２と、微分型移動度スペクトロメータ１１０内へのカーテンガス流入１３７との両方を提供することができ、流入１４４は、カーテンチャンバ１３０よりはるかに低い圧力に維持され得る真空チャンバ１５２内に含まれる質量スペクトロメータ１５０内に、微分型移動度スペクトロメータ１１０を通してイオン１０２を搬送するドリフトガス１１６になる。例えば、真空チャンバ１５２は、真空ポンプ１５６によって圧力２．３Ｔｏｒｒに維持されることができる。カーテンチャンバ１３０内のカーテンガスは修飾剤を含み得るため、ドリフトガス１１６もまた、修飾剤を含み得る。例示的な実施形態では、カーテンガス／ドリフトガスは、アセトンを用いて修飾された純ＣＯ２であることができる。
【００３６】
当業者によって理解されるように、質量スペクトロメータ１５０は、加えて、真空チャンバ１５２の下流にマスアナライザ要素１５０ａを含むことができる。イオンは、真空チャンバ１５２を通して移送されることができ、１つまたはそれよりも多くのマスアナライザ要素１５０ａを含む１つまたはそれよりも多くの差動的にポンプ作用を与えられるさらなる真空段階を通して移送されてもよい。例えば、一実施形態では、三連四重極質量スペクトロメータは、圧力が約２．３Ｔｏｒｒに維持される第１の段階、圧力が約６ｍＴｏｒｒに維持される第２の段階、および圧力が約１０−５Ｔｏｒｒに維持される第３の段階を含む３つの差動的にポンプ作用を与えられる真空段階を備えてもよい。第３の真空段階は、検出器と、２つの四重極マスアナライザとを含むことができ、その２つの四重極マスアナライザは、それらの間に位置する衝突セルを有する。システムに多数の他のイオン光学要素が存在してもよいことは、当業者には明白である。単一の四重極、イオントラップ（３Ｄまたは２Ｄ）、ハイブリッドアナライザ（四重極時間飛行、四重極線形イオントラップ、四重極オービトラップ）、オービトラップまたは飛行時間等の他のタイプのマスアナライザもまた、使用され得る。
【００３７】
動作において、目的の酸性分析物を含むか、または含むことが疑われる試料（例えば、血液、血清、尿、唾液等）は、微分型移動度スペクトロメータ１１０内への導入のために、当技術分野において公知の種々の方法に従って調製されることができる。イオン１０２は、カーテンチャンバ１３０の入口１５０の隣で生成され、次いで、微分型移動度スペクトロメータ１１０を通して移送されることにより、干渉種からの目的の酸性分析物のイオンの分離をもたらすことができる。種々の局面によると、微分型移動度スペクトロメータ１１０は、種々のイオンを逐次的に通過させるように走査されるＣＶを用いて、固定ＳＶで動作させられることができる。代替として、印加されるＣＶは、印加される条件下における既知の移動度に基づいた例えばルックアップテーブルに基づいて、目的の酸性イオンを優先的に通過させるように選択されることができる。微分型移動度スペクトロメータによって伝送されるイオンは、次いで、さらなる分析または検出のために、下流マスアナライザ要素１５０、１５０ａに送られることができる。
【００３８】
当業者によって理解されるように、微分型移動度スペクトロメータ１１０は、本出願人の教示に従って改変された種々の公知のシステムにおいて利用されることができる。例えば、次に図２を参照すると、本発明の第２の実施形態の局面に従い、微分型移動度スペクトロメータシステム２００が、概略図に図示される。明確にするために、図１のシステム２００の要素に類似する図２のシステム２００の要素は、１００が加算された図１における同一の参照番号を使用して指定される。簡潔にするために、図１の説明は、図２に関して繰り返されない。
【００３９】
示されるように、図２の微分型移動度スペクトロメータシステム２００は、図１のシステム１００の一部に類似するが、図１のマススペクトロメータ１５０、１５０ａおよび真空チャンバ要素１５２を欠いている。むしろ、微分型移動度スペクトロメータ２１０は、任意の数の異なる質量スペクトロメータ要素の上流に設置されることができるか、または単に、微分型移動度スペクトロメータ２１０を通してイオン２０２およびドリフトガス２１６を引き込むために効果的な減圧領域の上流に設置されてもよい。代替として、微分型移動度スペクトロメータ２１０の出口２２０に配置される検出器２５０（例えば、ファラデーカップまたは他のイオン電流測定デバイス）は、微分型移動度スペクトロメータ２１０によって伝送されたイオンを検出するために効果的であることができる。
【００４０】
微分型移動度スペクトロメータ２１０は、カーテンチャンバ２３０内に含まれる。カーテンチャンバ２３０は、図１に関して上記で説明されているものと同様の様式で、カーテンガス供給部２３４からのカーテンガスを供給されることができ、そのカーテンガスは、修飾剤供給部１３８によって修飾されている。
【実施例】
【００４１】
本出願人の教示は、本明細書の教示の種々の局面に従い、微分型移動度スペクトロメトリを使用して試料中に存在する種々の生物学的酸の分離を実証する下記の実施例および図３〜７に提示されているデータの参照によって、よりいっそう十分に理解され得る。本出願人の教示の他の実施形態は、本明細書の検討および本明細書に開示されている本教示の実践から、当業者に明白となる。これらの実施例は、例示に過ぎないものと見なされることが意図される。
【００４２】
上記で説明されているように、ＭＭＡおよびＳＡは、血液等の生物学的試料中に存在する同重体ジカルボン酸である。ＭＭＡはビタミンＢ１２欠乏症の既知のマーカーであるが、質量分光技法は、臨床診断アッセイにおいて概して回避されるコストおよび／または時間がかかる試料調製がない場合、しばしば、ＳＡ干渉に起因して、その特定的定量化に関する難点を有する。次に図３〜７を参照すると、データが、ＤＭＳを使用してＭＭＡをＳＡから分離する結果を描写する。データは、図２に描写されるシステムを参照して論じられるように、下流操作なしで微分型移動度スペクトロメータによって伝送されるＭＭＡイオンおよびＳＡイオンの強度を描写するが、イオン移動度スペクトロメータが、代替として、質量スペクトロメータのフロントエンドに位置し、伝送されたイオンのさらなる分析を可能にすることができることを、当業者は理解する。
【００４３】
次に図３を特定して参照すると、このプロットは、ｘ−軸およびｙ−軸によってそれぞれ示されている種々のＣＶおよびＳＶで動作させられた微分型移動度スペクトロメータによって伝送されるＭＭＡイオンの強度を描写し（各泡のサイズは、検出されたイオンの絶対強度を反映する）、その微分型移動度スペクトロメータは、微分型移動度セルにおける滞留時間を増加させるために、ガス流３．３Ｌ／分で動作させられるカーテンガスとして純Ｎ２および純ＣＯ２を使用し、かつ０．３Ｌ／分（１０ｐｓｉ）で動作させられるＮ２スロットルガス（ＤＭＲ）を使用する。修飾剤は、使用されなかった。微分型移動度スペクトロメータは、ＣＯ２ガスのための較正されたフローコントローラを介して手動制御を提供するように改変されたＳｅｌｅｘＩＯＮＴＭであった。イオンを、ＡＢ  Ｓｃｉｅｘが市販しているＱＴＲＡＰ（登録商標）５５００システムを用いて検出した。
【００４４】
図３に示されるように、カーテンガスとして純Ｎ２を用いる場合、ＭＭＡイオンは、その移動度の初期増加（すなわち、ＣＶの増幅振幅）によって示されるようにｂ−タイプイオンとして挙動し、その後、電場強度が増加するにつれて、後続のその移動度の減少（すなわち、上側「尾状物」）が続く。さらに、ＭＭＡイオンは、高ＳＶでは、泡のサイズの減少によって示されるように、有意な強度損失を呈する。しかしながら、カーテンガスとして純ＣＯ２を用いる場合、ＭＭＡイオンは、高ＳＶでは、移動度の増加および強度の増加の両方を呈する。
【００４５】
次に図４を参照すると、このプロットは、修飾剤としてカーテンガスに添加したイソプロピルアルコール（ＩＰＡ、１．５％）を除き、図３のものと類似する条件で動作させる微分型移動度スペクトロメータの出口で記録したＭＭＡイオンの強度を描写する。図４に示すように、カーテンガスおよび修飾剤として純粋なＮ２＋ＩＰＡを用いる場合、ＭＭＡイオンは、電場強度の増加に伴うそれらの移動度の増加によって示されるように、ａ−タイプイオンとして挙動する。それにもかかわらず、ＭＭＡイオンは、依然として、高ＳＶでは有意な強度損失を呈する。しかしながら、カーテンガスおよび修飾剤として純粋なＣＯ２＋ＩＰＡを用いる場合、ＭＭＡイオンは、高ＳＶでは移動度の増加および強度の増加の両方を呈する。
【００４６】
次に図５を参照すると、このプロットは、ＩＰＡの代わりにカーテンガスに添加したアセトン（１．５％）を除き、図４のものと類似の条件で動作させる微分型移動度スペクトロメータの出口において記録したＭＭＡイオンの強度を描写する。図５に示すように、カーテンガスおよび修飾剤として純粋なＮ２＋アセトンを用いる場合、ＭＭＡイオンは、電場強度の増加に伴うそれらの移動度の増加によって示されるように、ａ−タイプイオンとして挙動し続ける。しかしながら、ＭＭＡイオンは、修飾剤としてＩＰＡを用いたＭＭＡイオンによって示されるものと比較して、高ＳＶにおいてよりいっそう有意な強度損失を呈する。カーテンガスおよび修飾剤として純粋なＣＯ２＋アセトンを用いる場合、ＭＭＡイオンは、高ＳＶでは移動度の増加および強度の増加の両方を呈する。
【００４７】
次に図６を参照すると、このプロットは、図５のものに類似する条件で動作させる微分型移動度スペクトロメータの出口で記録したＭＭＡイオンおよびＳＡイオンの両方の強度を描写する。すなわち、ＭＭＡイオンおよびＳＡイオンの各々を、カーテンガスとして純ＣＯ２を用いて修飾剤としてアセトン（１．５％）を用いた微分質量スペクトロメータの出口端で検出した。図６に示すように、ＭＭＡイオンおよびＳＡイオンは両方とも、電場強度の増加に伴うそれらの移動度の増加によって示すように、ａ−タイプイオンとして挙動した。しかしながら、約２５００Ｖを上回る所与のＳＶでは、種の各々についてのＣＶを、区別し得る。例えば、図６は、３６００ＶのＳＶにおいて、ＭＭＡ（−３１．３Ｖ）とＳＡ（−２８．５Ｖ）との間の測定されたＣＶに約１０％の分離が存在したことを示す。
【００４８】
図７でさらに詳細に示すように、修飾剤としてアセトン（１．５％）を伴って３Ｌ／分の率でＤＭＳを通して流れるカーテンガスとしてＣＯ２を用いて動作させるＤＭＳは、ＭＭＡおよびＳＡを単一の試料から十分に分離することができる。最初に、図７ａを特定して参照すると、このプロットは、ＣＶを３６００Ｖの固定ＳＶで走査するとき、ＭＭＡ（約２５０ｐｇ／μＬ）のみをスパイクしたブランク（０．１％ギ酸を含む水：メタノール（５０：５０（ｖ：ｖ）））の、DMSから伝送して検出したイオンの数を描写する。単一のピークが、ＣＶ＝−３１．０Ｖにおいて移動度スペクトルに現れる。
【００４９】
次に図７ｂを参照すると、このプロットは、ＣＶを３６００Ｖの固定ＳＶで走査するとき、ＳＡ（約２５０ｐｇ／μＬ）のみをスパイクしたブランク（０．１％ギ酸を含む水：メタノール（５０：５０（ｖ：ｖ）））の、DMSから伝送して検出したイオンの数を描写する。単一のピークが、ＣＶ＝−２８．５Ｖにおいて移動度スペクトルに現れる。
【００５０】
次に図７ｃを参照すると、このプロットは、ＣＶを３６００Ｖの固定ＳＶで走査するとき、ＭＭＡ：ＳＡ（１：１）（各々、約２５０ｐｇ／μＬ）をスパイクしたブランク（０．１％ギ酸を含む水：メタノール（５０：５０（ｖ：ｖ）））の、DMSから伝送して検出したイオンの数を描写する。２つの別個のピークが、図７ａに示すような、ＭＭＡのみを含む試料で検出したピークのものに実質的に対応する−３１．３ＶのＣＶと、図７ｂに示すような、ＳＡのみを含む試料で検出したピークのものに実質的に対応する−２８．５ＶのＣＶとにおいて移動度スペクトルに現れる。ＭＭＡおよびＳＡの伝送に対するＣＶ値の差異は、ＳＡからの干渉なしでＭＭＡの選択的な監視／定量化を可能にするために十分である。
【００５１】
驚くことに、これらのデータは、ドリフトガスとしてのＣＯ２と修飾剤としてのアセトンとの組み合わせが、ジカルボン酸のためのＤＭＳの分離能力を増加させることを実証する。その結果、単一の試料中に存在する酸を、最小限の試料調製を伴って、本明細書の教示に従って、その特定的定量化を可能にするために十分に分解することができる。
【００５２】
本明細書で使用されるセクションの見出しは、編成目的にすぎず、限定とは解釈されない。本出願人の教示が、種々の実施形態と併せて説明されているが、本出願人の教示がそのような実施形態に限定されることは、意図されない。対照的に、本出願人の教示は、当業者によって理解されるような種々の代替、改変、および均等物を包含する。
【図１】
2015516579.tif 000004
【図２】
2015516579.tif 000005
【図７】
2015516579.tif 000006
【図３】
2015516579.tif 000007
【図４】
2015516579.tif 000008
【図５】
2015516579.tif 000009
【図６】
2015516579.tif 000010
【国際調査報告】
2015516579.tif 000011
2015516579.tif 000012
2015516579.tif 000013
2015516579.tif 000014